(57)【要約】【課題】粒状のろ過材を用いる方式で浴槽水の浄化を行う場合、ろ過性能を満足させるには圧力損失が大きくなったり、機器が大型化したりといった課題が生じ、一般家庭向けの給湯装置には内蔵が困難であるといった課題があった。【解決手段】ろ過槽内部に粒状のろ過材とその上部において薄い層をなすろ過助剤を収容したものとすることで、粒状ろ過材の粒子径を小さくしたり、ろ過材の充填高さを高くしたりすることなしにろ過手段の性能を向上させることができ、結果的に低圧力損失で小型の浴槽水浄化装置が実現できる。【選択図】  図１
2005246246.tif 000002
【特許請求の範囲】
【請求項１】
ろ過槽と、前記ろ過槽内に収容された粒状のろ過材と、前記ろ過材の上部に層をなして堆積するろ過助剤と、前記ろ過槽を順方向に通水経由して浴槽水を循環させる循環手段とを備えた浴槽水浄化装置。
【請求項２】
ろ過槽に逆方向通水を行う逆通水手段を備え、逆通水時にろ過材およびろ過助剤の攪拌分離を行う請求項１に記載の浴槽水浄化装置。
【請求項３】
ろ過助剤はろ過材よりも微細な粒子を含む請求項１または２に記載の浴槽水浄化装置。
【請求項４】
ろ過助剤はろ過材よりも真密度が小さい請求項１〜３のいずれか１項に記載の浴槽水浄化装置。
【請求項５】
ろ過材とろ過助剤は略球形と不定形の組み合わせとした請求項１〜４のいずれか１項に記載の浴槽水浄化装置。
【請求項６】
ろ過助剤は多孔質である請求項１〜５のいずれか１項に記載の浴槽水浄化装置。
【請求項７】
順方向通水時のろ過槽出口側に、ろ過材およびろ過助剤の粒子径よりも小さくかつろ過材とろ過助剤で形成される空隙径よりも大きな開口径を有するフィルターを備えた請求項１〜６のいずれか１項に記載の浴槽水浄化装置。
【請求項８】
順方向通水時のろ過槽入り口側に、ろ過材およびろ過助剤の粒子径よりも小さくかつろ過材とろ過助剤で形成される空隙径よりも大きな開口径を有するプレフィルターを備えた請求項１〜７のいずれか１項に記載の浴槽水浄化装置。
【発明の詳細な説明】
【技術分野】
【０００１】
本発明は一般家庭の浴槽水を簡易的に浄化する浴槽水浄化装置に関するものである。
【背景技術】
【０００２】
浴槽水の白濁原因となる懸濁粒子には、髪の毛や埃などの粗大粒子、入浴者の皮膚から剥離した角質層などの粒子（粒子径２０〜１００μｍ）、さらには生きた細菌や死菌などの微粒子（粒子径１μｍ程度）等があり、これらの懸濁粒子を取り除き浴槽水を清澄な状態に保つため、過去から様々な浄化装置が提案されている。これらの浄化装置は、浴槽水を循環ポンプで循環させ、その循環回路の途中にろ過手段を備えたものが一般的であるが、このろ過手段としては、粒状のろ過材を用いたもの（例えば特許文献１参照）、中空糸膜を用いたもの、ろ布もしくは多孔質フィルター等をプリーツ状ないしは円筒状、平板状に形成したもの（例えば特許文献２参照）等があった。
【特許文献１】特開平１１−２６７４１４号公報
【特許文献２】特開平１１−９９１４号公報
【発明の開示】
【発明が解決しようとする課題】
【０００３】
しかしながら、上記従来の粒状ろ過材を用いたろ過手段で浴槽水中に存在する微細な懸濁粒子を捕捉するためには、ろ過材の粒子径を小さくする、ろ過材充填高さを高くする、といった方法を取る必要がある。しかしながらこれらの方法を用いた場合、浄化運転時の圧力損失が大きくなって浴槽水を循環するポンプの能力が不足する、またろ過手段が大型化してしまう、などの課題が生じ、例えば一般家庭向けの給湯装置に内蔵することは非常に困難であった。
【０００４】
また、粒状ろ過材を微細なものにすると、ろ過手段に清水を逆通水することでろ過材の洗浄および捕捉粒子の排出を行う、いわゆる逆洗浄時にろ過材が外部へ流出しやすくなり、ここでもろ過手段の高さを十分に確保しなければならないという課題が生じる。
【０００５】
また、中空糸膜を用いたろ過手段の場合、一般的に非常に微細な懸濁粒子まで捕捉可能であるが、洗浄が非常に困難なため、使用頻度に応じて交換等のメンテナンスが必要になり、使用者の負担が増えるといった課題が生じる。
【０００６】
また、ろ布もしくは多孔質フィルター等をプリーツ状ないしは円筒状に形成したものの場合、フィルターの洗浄が困難であるとともに構成が複雑なため、メンテナンスの負担に加えて高コストにつながる。さらにまた、ろ布もしくは多孔質フィルター等を平板状に形成したものの場合、小型で所定量の懸濁粒子を捕捉可能なフィルター面積を確保することが困難で、目詰まりや圧力損失の上昇を回避するにろ過手段が大型化し、ここでも給湯装置に内蔵することが困難になるといった課題が生じる。
【課題を解決するための手段】
【０００７】
前記従来の課題を解決するために、本発明は、ろ過槽と、前記ろ過槽内に収容された粒状のろ過材と、前記ろ過材の上部に層をなして堆積するろ過助剤と、前記ろ過槽を順方向に通水経由して浴槽水を循環させる循環手段とを備えた構成としたものである。
【０００８】
これによって、粒状ろ過材の粒子径を小さくしたり、ろ過材の充填高さを高くしたりすることなしにろ過手段の性能を向上させることができる。
【発明の効果】
【０００９】
本発明の浴槽水浄化装置は、浄化運転時の圧力損失が小さく、しかも小型で場所をとらないことから、一般家庭向けの給湯装置に内蔵することも可能で、これによって特別な浄化装置を別設することなく、常に清澄な浴槽水を使用者に提供することができる。
【発明を実施するための最良の形態】
【００１０】
第１の発明は、ろ過槽と、前記ろ過槽内に収容された粒状のろ過材と、前記ろ過材の上部に層をなして堆積するろ過助剤と、前記ろ過槽を順方向に通水経由して浴槽水を循環させる循環手段とを備えた構成とすることにより、ろ過助剤によってろ過性能の向上を図ることができ、しかもろ過助剤は少量でろ過材の上部に薄く層状に収容されているため、圧力損失の上昇は微々たるものであり、ろ過材の充填高さに伴うろ過手段の大型化といった問題を回避することができる。
【００１１】
第２の発明は、特に第１の発明の構成に加え、ろ過槽に逆方向通水を行う逆通水手段を備え、逆通水時にろ過材およびろ過助剤の攪拌分離を行う構成とすることにより、逆通水によってろ過材とろ過助剤の状態を常に同じ状態に保つことができ、安定したろ過性能を得ることができる。
【００１２】
第３の発明は、特に第１または第２の発明において、ろ過助剤をろ過材よりも微細な粒子を含む構成とすることにより、小径のろ過助剤によって小さな空隙が形成されるため、ろ過性能を向上させることができる。また、ろ過助剤が確実に層状に分離でき、ろ過性能が安定する。
【００１３】
第４の発明は、特に第１〜３の発明において、ろ過助剤をろ過材よりも真密度が小さいものとすることにより、ろ過材とろ過助剤が層状に分かれる際のばらつきが低減でき、常に安定した堆積層が形成されるため、ろ過性能がより安定する。
【００１４】
第５の発明は、特に第１〜４のいずれか１つの発明においてろ過材とろ過助剤を略球形と不定形の組み合わせとすることにより、特にろ過材とろ過助剤の境界層部分において形成される空隙が小さくなり、また空隙の形状が複雑になることで懸濁粒子の捕捉確率が上がり、ろ過性能の向上を図ることができる。
【００１５】
第６の発明は、特に第１〜５のいずれか１つの発明においてろ過助剤を多孔質とすることにより、ろ過助剤の細孔に懸濁粒子が捕捉されるためろ過性能のさらなる向上が実現できる。
【００１６】
第７の発明は、特に第１〜６のいずれか１つの発明の構成に加え、順方向通水時のろ過槽出口側に、ろ過材およびろ過助剤の粒子径よりも小さくかつろ過材とろ過助剤で形成される空隙径よりも大きな開口径を有するフィルターを備えた構成とすることにより、ろ過材およびろ過助剤の流出を防止しつつもフィルターの目詰まりが防止でき、圧力損失の急上昇のない小型のろ過槽が実現できる。
【００１７】
第８の発明は、特に第１〜７のいずれか１つの発明の構成に加え、順方向通水時のろ過槽入り口側に、ろ過材およびろ過助剤の粒子径よりも小さくかつろ過材とろ過助剤で形成される空隙径よりも大きな開口径を有するプレフィルターを備えた構成とすることにより、逆通水時にろ過材およびろ過助剤がろ過槽から流出することを防止できるため、ろ過槽の高さを低く抑えることができる。また、懸濁粒子が確実にろ過材およびろ過助剤によって捕捉されるため圧力損失の急上昇が防止できるとともに、この捕捉した懸濁粒子をろ過槽から逆通水によって排出する際の確実性を向上させることができる。
【００１８】
以下、本発明の実施の形態について、図面を参照しながら説明する。なお、この実施の形態によって本発明が限定されるものではない。
【００１９】
（実施の形態１）
図１は本発明の第１の実施の形態における浴槽水浄化装置の構成図である。なお、ここでは給湯装置に内蔵された構成において説明をする。
【００２０】
図１において、浴槽１には風呂アダプタ２が固設され、この風呂アダプタ２は風呂往き管３および風呂戻り管４によって給湯装置５と接続されている。この給湯装置５内部には風呂戻り管４につながる循環ポンプ６、配管７、熱交換器８、配管９、切換弁１０、配管１１、配管１２、ろ過槽１３、配管１４、配管１５、風呂往き管３につながる切換弁１６が図１に示す関係で接続されている。なお、ここで記述した風呂アダプタ２を起点および終点として接続される先述の配管７〜１５や循環ポンプ６、切換弁１０、１６によって循環手段１７が構成される。
【００２１】
配管７には湯張り時に熱交換器８からこの循環手段１７に湯を供給するための注湯管１８およびこの注湯動作の入り切りを制御する電磁弁１９が接続されている。なお、熱交換器８の下方には熱交換器８を加熱するためのバーナ２０およびこのバーナ２０に送風するためのファン２１等が備えてあり、熱交換器８から注湯のための湯を供給したり、循環手段１７によって循環される浴槽１の湯を追い焚きしたりできる構成となっている。
【００２２】
ろ過槽１３の上下には流入口２２、流出口２３が設けてあり、流入口２２は配管１２に、流出口２３は配管１１に接続されている。また、このろ過槽１３内部には粒状のろ過材２４が充填されており、その上部に薄い層をなしてろ過助剤２５が堆積している。そして、順方向流れつまり流入口２２から流出口２３に至る流れにおいて浴槽水がろ過される。また、このろ過材２４およびろ過助剤２５の下方にはこれらの流出を防止するためのフィルター２６が設けてあり、上方には図１に示すようにろ過材２４およびろ過助剤２５の高さとほぼ同等の空間をおいてプレフィルター２７が設けてある。
【００２３】
ここでは、ろ過材２４は粒子径が約３００〜５００μｍのセラミックボールとし、一方ろ過助剤２５はふるい粒子径が約１５０〜６００μｍの珪砂とした。なお、ろ過材２４として用いたセラミックボールは略球状でその真比重は約３．９であり、またろ過助剤２５として用いた珪砂は不定形でその真比重は約２．３である。なおまた、ろ過材２４とろ過助剤２５の混合比は９：１としてある。
【００２４】
また、フィルター２６およびプレフィルター２７は、いずれも開口径が約１００μｍのステンレス製金網を補強板（図示せず）に焼結結合したものを用いており、粒子径もしくはふるい径が約１５０〜６００μｍのろ過材２４およびろ過助剤２５がろ過槽１３の外部に流出することを防止できる構成としてある。
【００２５】
以上のように構成された給湯装置について、以下その動作、作用を説明する。
【００２６】
はじめに浄化運転時について説明する。まず、循環ポンプ６が稼動するとその吸引作用によって浴槽１にたまった浴槽水は風呂アダプタ２、風呂戻り管４、配管７、熱交換器８、配管９を経て切換弁１０へと至る。ここで切換弁１０は配管９と配管１２を連通状態とし、さらに切換弁１６は配管１５と風呂往き管３を連通状態として待機しているため、切換弁１０を通過した浴槽水は配管１２を経て、流入口２２からろ過槽１３内部へと流入する。このろ過槽１３内部へと流入した浴槽水はプレフィルター２７を通過した後、まずろ過助剤２５の薄い層を通過した後、ろ過材２４の層に至り、ろ過材２４で形成される空隙を縫うように通過する。さらにはフィルター２６を通過し、流出口２３へと至る。このように浴槽水がろ過助剤２５およびろ過材２４の空隙を縫うように通過することで、浴槽水中に含まれる懸濁粒子が捕捉され、浴槽水は清澄な状態となる。この清澄な状態となった浴槽水は流出口２３に接続された配管１１から配管１５を経て切換弁１６へと至り、切換弁１６によって風呂往き管３、風呂アダプタ２を経て浴槽１へと戻される。なお、切換弁１０の配管１１に接続されるポートおよび切換弁１６の配管１４に接続されるポートは閉止状態であるため、ここへの浴槽水の流入はない。
【００２７】
ここでは、ろ過材２４によって形成される空隙は計算上最大約７５μｍであり、フィルター２６およびプレフィルター２７の開口径は、先述の通りこれよりも大きくなるよう１００μｍとしてある。なお、ろ過助剤２５は不定形であり、しかもろ過材２４よりも小さな粒子を含むため、ろ過助剤２５によって形成される空隙はこの７５μｍよりも小さくなる。これは、浴槽水中の懸濁粒子がフィルター２６もしくはプレフィルター２７で捕捉されずに、確実にろ過材２４およびろ過助剤２５によって捕捉されるようにするための措置である。つまり、懸濁粒子の大部分は入浴者の角質層などの粒子で、中でも最も多く存在するのは図２に示すとおり、約２０〜５０μｍの粒子であることから、これがプレフィルター２７で捕捉されてしまうと、フィルターの目詰まりが生じ、ろ過槽の圧力損失が上昇するという課題が発生してくる。逆にろ過材２４もしくはろ過助剤２５の最小粒子径よりも大きな開口径であれば、これらが外部に流出し、例えば切換弁１０、１６が破損するなど、機器の信頼性を大きく損なうことにもつながる。なお、図２は人が入浴した後の浴槽水中に存在する懸濁粒子の粒度分布を計測したものである。
【００２８】
また、ろ過材２４およびろ過助剤２５によって形成される空隙よりも懸濁粒子の径が小さく、捕捉が困難ではないかと考えがちであるが、これは一般的に深層ろ過現象で説明されており、このような積層した粒状のろ過材を用いた場合、形成される空隙よりも小さな粒子を捕捉することができる。実験で確認を行ったところ、粒子径が約３００〜５００μｍのセラミックボールをろ過材としてろ過した場合、空隙は計算上４５〜７５μｍであるにもかかわらず、約３０μｍの懸濁粒子を捕捉できることが確認できた。しかしながらこのような深層ろ過の場合、懸濁粒子の全てが捕捉できるわけではないため、フィルター２６に関してもプレフィルター２７と同様のことが言え、目詰まりによる圧力損失の上昇を防止するためにはろ過材の空隙よりも大きく、しかもろ過材の流出防止のためにろ過材の最小粒子径よりも小さい開口径のフィルターを使用することが必要となる。
【００２９】
また、ここではろ過材２４として略球形で粒子径が約３００〜５００μｍのセラミックボールを充填し、その上部にろ過助剤２５として不定形でふるい径が約１５０〜６００μｍの珪砂を薄い層状に堆積させる構成としたが、このことにより、ろ過材２４だけでろ過運転を行う場合と比較してろ過性能を大きく向上させることができる。実験で確認したところ、ろ過助剤２５を１０〜２５％程度の比率で混合した場合において最もろ過性能が良好で、逆にろ過助剤２５の混合比率が大きくなるとろ過性能の低下が見られるだけでなく、圧力損失の上昇が顕著となり、浴槽水浄化装置としては好ましくない。これは、様々な形状や大きさをした懸濁粒子が、微細な粒子を含み部分的に小さな空隙を形成するろ過助剤２５の層と、図３に示すように空隙が複雑な形状をしたろ過材２４とろ過助剤２５の境界層、さらには深層ろ過現象がうまく機能するろ過材２４の層において、それぞれ効果的に捕捉されるために、このような結果になると考えられる。なお、ろ過材２４はろ過助剤２５のろ床の役目も果たしており、薄い層状のろ過助剤２５が流動的なろ過材２４の上に堆積することでその厚みのばらつきが低減され、安定したろ過性能が得られるという効果もある。
【００３０】
このように、ろ過材２５の上部に１０〜２５％程度のろ過助剤の層を形成することで、ろ過性能を大きく向上させることができるとともに、圧力損失の上昇を回避することが可能となる。
【００３１】
次にろ過槽１３に逆通水することで、ろ過材２４およびろ過助剤２５の洗浄を行うとともにろ過材２４とろ過助剤２５の攪拌混合を行う際の動作、作用について説明する。
【００３２】
このときは、電磁弁１９を開成させることで水道管（図示せず）から供給される水が熱交換器８を通過し、注湯管１８へと供給される。なお、特にろ過材２４およびろ過助剤２５の洗浄を行う際には、高温のお湯を用いた方が油分を含んだ懸濁粒子の流出も良好で、しかも細菌がろ過槽１３内に増殖することを防止できるという効果もあるため、ファン２１を稼動させ、バーナ２０に着火することで約６０℃のお湯を供給する構成としてある。
【００３３】
次に注湯管１８に供給されたお湯は電磁弁１９を通過し、配管７、熱交換器８、配管９を経て切換弁１０へと至る。ここで切換弁１０は配管９と配管１１を連通状態とし、さらに切換弁１６は配管１４と配管１５を連通状態として待機しているため、切換弁１０を通過したお湯は配管１１を経て流出口２３からろ過槽１３内部へと流入する。このろ過槽１３内部へと流入したお湯はフィルター２６を通過した後、ろ過材２４およびろ過助剤２５を上方へと押し上げながら捕捉された懸濁粒子とともにプレフィルター２７から流出し、さらに流入口２２へと至る。流入口２２を通過した懸濁粒子を含んだお湯は配管１２、配管１４を経て切換弁１６へと至り、ここで流れの方向を変えられ、風呂往き管３、風呂アダプタ２を経て浴槽１内へと排出される。
【００３４】
この逆通水の動作時、ろ過槽１３内部へと流入したお湯はろ過材２４とろ過助剤２５を押し上げながら流れるため、ろ過材２４およびろ過助剤２５によって形成されていた空隙そのものがなくなり、捕捉されていた懸濁粒子は容易にプレフィルター２７を通過して、ろ過槽１３外部へと流出することができる。また、この上方に向かうお湯の流れはろ過材２４およびろ過助剤２５を一旦上方に押し上げて展開させるが、ろ過材２４とろ過助剤２５は比重が異なるためその展開率も異なり、逆通水の動作を停止させると、まず下部に比重の大きなろ過材２４が沈積し、その上部にろ過助剤２５が層状に沈積することとなる。このように逆通水を行うたびに、ろ過材２４の上部にろ過助剤２５が層状に堆積することから、常に安定したろ過性能を得ることができる。
【００３５】
この逆通水の動作はろ過槽１３内を逆洗浄する時が主であるが、これは浴槽１内に浴槽水がない状態、さらに言えば浴槽水が排水栓（図示せず）から排出される際に給湯装置５が浴槽１の水位検知を行うことで排水動作を認知し、そこで実行される。また、給湯装置５が新規に設置された場合やもしくはなんらかの理由でろ過槽１３内が空になった場合には、この逆通水の動作によって、ろ過槽１３に水が供給される。これはろ過槽１３内にたまった空気を確実に排出するために必要であるとともに、先述の通りろ過材２４とろ過助剤２５の混合状態を適切にするという作用がある。なお、この時にはお湯を供給する必要はないため、バーナ２０は着火しない。
【００３６】
なお、先述の浄化運転を行うと、プレフィルター２７には１００μｍの開口径を通過できない綿埃や毛髪が捕捉されるが、当然のことながらここで捕捉されたこれらの汚れもこの逆通水によって、浴槽１内へと排出される。
【００３７】
次に追い焚きを行う際の動作について説明する。これは浴槽１にためた浴槽水の温度が低下した場合や、入浴者が追い焚きの指示をした場合に行われるものであるが、これには２通りの動作が考えられる。まず１つは先述の浄化運転時にバーナ２０およびファン２１を動作させ、浄化運転をしながら循環する浴槽水を加熱する方法である。この方法をとれば追い焚き時も含めて常に浄化運転を実施することができるため、浴槽水の清澄度を向上させることが可能となる。なお、ここで説明したろ過槽１３の構成であれば、低圧力損失のため追い焚きに必要な循環流量を確保することが容易で、しかも微生物を使用した浄化方式等と違い循環する浴槽水温度の影響を受けることもないため、この浄化運転と追い焚き運転を同時に行うことが可能となる。
【００３８】
またもう一つの方法は、先述の浄化運転とほぼ同様の動作において、切換弁１０が配管９と配管１１を連通状態とし、さらに切換弁１６が配管１５と風呂往き管３を連通状態とするものである。こうすることで、配管９を経て切換弁１０へと至る浴槽水は配管１１、配管１５を経て切換弁１６へと至り、さらに風呂往き管３から風呂アダプタ２を経て浴槽１へと戻される。この方法をとれば不必要な浄化運転をせずに追い焚き運転だけが実行できることはもちろん、例えば風呂往き管３および風呂戻り管４が非常に長く、追い焚きに必要な循環流量確保が困難な場合や、懸濁粒子を大量に捕捉してろ過槽１３の圧力損失が上昇した場合なども支障なく追い焚きに必要な循環流量を確保できる。
【００３９】
（実施の形態２）
本発明における第２の実施の形態では、ろ過助剤２５として珪砂ではなくシャモット砂を用いた点を除いては実施の形態１と構成もほぼ同様であるため説明を割愛し、その動作、作用についてのみ説明をする。
【００４０】
ここでろ過助剤２５として用いたシャモット砂はふるい径で約３００〜６００μｍ、真比重は約２．１のものであり、混合量を珪砂と同様に全体の１０％とした。このシャモット砂も珪砂同様にろ過材２４として用いたセラミックボールよりも真比重が小さいため、逆通水による攪拌を行うとろ過材２４の上部に薄い層をなして堆積する。
【００４１】
ろ過助剤２５としてシャモット砂を用いた場合、特にここで用いたシャモット砂は粒子径の小さなものが含まれておらず、空隙の小さな部分が形成されるということはないが、表面に存在する細孔がろ過材２４によって捕捉することのできない微細な懸濁粒子を捕捉するため、珪砂同様にろ過材２４だけでろ過する場合と比較してろ過性能が大きく向上し、一方で圧力損失の上昇といった課題も生じてこない。
【００４２】
このような構成でも先述した第１の実施の形態と同等の作用、効果が得られる。また、珪砂と比較するとシャモット砂は非常に安価であり、給湯装置にろ過手段を追加する際の低コスト化も図れる。
【産業上の利用可能性】
【００４３】
以上のように、本発明にかかる浴槽水浄化装置は小型で安価な構成が可能となるので、浴槽水の他、鑑賞魚水槽の浄化、雨水の浄化等の用途にも適用が可能である。
【図面の簡単な説明】
【００４４】
【図１】本発明の実施の形態１における浴槽水浄化装置を備えた給湯装置の構成図
【図２】人が入浴した後の浴槽水中に存在する懸濁粒子の粒度分布を示す図
【図３】本発明の実施の形態１における浴槽水浄化装置のろ過槽の構成図
【符号の説明】
【００４５】
１３  ろ過槽
１７  循環手段（逆通水手段）
２２  流入口
２３  流出口
２４  ろ過材
２５  ろ過助剤
２６  フィルター
２７  プレフィルター
【図１】
2005246246.tif 000003
【図２】
2005246246.tif 000004
【図３】
2005246246.tif 000005